(57)【特許請求の範囲】
【請求項１】
一方の面に粘着剤層が被着されたシート状の基材と、上記基材の一方の面に被着された上記粘着剤層を覆って剥離可能に積層された剥離材とを備えた医療用の指先保護部材であって、
上記基材は、平面方向の引っ張り力に対する伸縮性に乏しく且つ通気性に優れたシート材よりなるとともに、
上記基材には、中央部に指の爪が生える側とは反対側の指の腹側に貼付される指貼付部と、上記爪の側爪部から上記爪の爪甲を上記指の両側からそれぞれ斜めに覆う一対の側爪部保護フラップと、上記指の先端側から上記爪の爪甲を斜めに覆う一対の前爪部保護フラップとが設けられてなり、
上記一対の側爪部保護フラップは、上記指貼付部を中心にして、上記指貼付部の左右からそれぞれ上記指貼付部の斜め下方に向かって突出形成されるとともに、上記指貼付部に連続する上記フラップの基部側から上記フラップの先端部側に亘って一連に連続する略円弧状に突出形成され、
上記一対の前爪部保護フラップは、上記指貼付部を中心にして、上記指貼付部の左右からそれぞれ斜め上方に向かって突出形成されるとともに、上記指貼付部に連続する上記フラップの基部側から上記フラップの先端部側に亘って一連に連続する略円弧状に突出形成され、且つ、上記一対の側爪部保護フラップより大きな面積を有するように形成されてなり、
上記一対の側爪部保護フラップにより上記爪の側爪部から上記爪の爪甲を上記指の両側からそれぞれ斜めに覆うとともに、上記一対の前爪部保護フラップにより上記指の先端部から上記爪の爪甲を斜めに覆って指に貼付されることにより深爪に起因する痛みや爪の変形を予防することを特徴とする医療用の指先保護部材。
【請求項２】
上記一対の側爪部保護フラップは、手足の爪の爪母から爪床部分に至る側爪部を斜めに覆って貼付されるに足る大きさに形成され、上記一対の前爪部保護フラップは、上記指の先端部から爪甲上に至る部分を斜めに覆って貼付されるに足る大きさに形成されていることを特徴とする請求項１に記載の指先保護部材。
【請求項３】
上記伸縮性に乏しい基材は、平面方向の引っ張り力に対する伸び率が１％以下であるシート材よりなることを特徴とする請求項１又は２に記載の医療用の指先保護部材。
【請求項４】
上記基材には、指への貼付位置を示す指標が設けられていることを特徴とする請求項１〜３のいずれか１項記載の医療用の指先保護部材。
【請求項５】
上記一対の側爪部保護フラップ及び上記一対の前爪部保護フラップには、指への貼付の順序を示す記号が設けられていることを特徴とする請求項１〜４のいずれか１項記載の医療用の指先保護部材。
【発明の詳細な説明】
【技術分野】
【０００１】
本発明は、深爪の痛みや陥入爪等の爪の変形を予防するために用いられる医療用の指先保護部材に関する。
【背景技術】
【０００２】
人の手足の爪は、指先端の皮膚を支える役割があるが、長く伸ばすと割れを生じさせてしまう。また、伸びた爪を切り取るとき、深爪をしてしまうことがある。
【０００３】
深爪を繰り返すことにより、指先に痛みを生ずるようになり、さらには爪の変形を生じさせる原因にもなっている。このような指先の痛みや爪の変形を生じさせてしまうと、運動機能の障害になってしまう。
【０００４】
深爪の繰り返しにより、一旦、指先の痛みや爪の変形を生ずると、人は、このような痛みや変形を緩和させようと、指先にくい込んでいる爪をさらに深く切り取り、状態を悪化させてしまうことがある。
【０００５】
深爪に起因する痛みや爪の変形を生じたときには、このような痛みや爪の変形を解消するため、医師の治療を受けることになる。医療機関では、陥入爪手術や、変形した爪の矯正などの治療が施される。このような治療を受けるには、通院が必要である。
【０００６】
深爪などに起因する巻き爪を防止するため、巻き爪防止用の絆創膏（特許文献１）や、爪矯正具（特許文献２）が提案されている。
【０００７】
また、指爪被覆用テープとして特許文献３に記載するようなものが提案されている。
【先行技術文献】
【特許文献】
【０００８】
【特許文献１】特開２０１３−８１７２３号公報
【特許文献２】特開２０１１−２４７７６号公報
【特許文献３】特開平１１-１９１１８号公報
【発明の概要】
【発明が解決しようとする課題】
【０００９】
従来提案されている巻き爪防止用の絆創膏は、爪の末端と指の表面との間に差し込んで貼り付けるものであり、爪が短く末端が深くくい込んでいる状態の深爪に起因する痛みを防止することができない。また、従来提案されている爪矯正具も、爪と指の間に器具を差し込み爪の変形を矯正するものであり、使用者に痛みを強いるおそれがある。
【００１０】
さらに、指爪被覆用テープは、指爪の末端側を覆って保護することはできるが、巻き爪の発生を抑えることができない。
【００１１】
そこで、本発明は、深爪や陥入爪を生じさせてしまった指の保護を図り、深爪や陥入爪に起因する痛みを緩和するとともに、治療者に痛みや不快感を与えることなく、深爪に起因する巻き爪や陥入爪の発生を予防することができる医療用の指先保護部材を提供するこ
とを目的とする。
【００１２】
特に、本発明は、爪と指が接合している爪床の変形を防止し、再生する爪の変形を防止して巻き爪や陥入爪の発生を予防することができる医療用の指先保護部材を提供することを目的とする。
【００１３】
さらに、本発明は、深爪を生じている部分に確実に、しかも容易に取り付けることができ、自己管理を容易に行うことができる指先保護部材を提供することを目的とする。
【００１４】
さらにまた、本発明は、指に貼付した後の剥ぎ取りを容易に行うことを可能となし、刺激の少ない、衛生的な保護部材を用いることにより、深爪に起因する指の合併症を予防することができる指先保護部材を提供することにある。
【課題を解決するための手段】
【００１５】
上述したような目的を達成するために提案される本発明は、一方の面に粘着剤層が被着されたシート状の基材と、上記基材の一方の面に被着された上記粘着剤層を覆って剥離可能に積層された剥離材とを備えた医療用の指先保護部材であって、基材には、中央部に指の爪が生える側とは反対側の指の腹側に貼付される指貼付部と、爪の側爪部から爪の爪甲を上記指の両側からそれぞれ斜めに覆う一対の側爪部保護フラップと、指の先端側から上記爪の爪甲を斜めに覆う一対の前爪部保護フラップとが設けられている。
【００１６】
この指先保護部材に設けられる一対の側爪部保護フラップは、上記指貼付部を中心にして、上記指貼付部の左右からそれぞれ上記指貼付部の斜め下方に向かって突出形成されるとともに、上記指貼付部に連続する上記フラップの基部側から上記フラップの先端部側に亘って一連に連続する略円弧状に形成されている。
【００１７】
そして、一対の前爪部保護フラップは、上記指貼付部を中心にして、上記指貼付部の左右からそれぞれ斜め上方に向かって突出形成されるとともに、上記指貼付部に連続する上記フラップの基部側から上記フラップの先端部側に亘って一連に連続する略円弧状に形成され、且つ、上記一対の側爪部保護フラップより大きな面積を有するように形成されている。
【００１８】
そして、本発明に係る指先保護部材は、一対の側爪部保護フラップにより上記爪の側爪部から上記爪の爪甲を上記指の両側からそれぞれ斜めに覆うとともに、上記一対の前爪部保護フラップにより上記指の先端部から上記爪の爪甲を斜めに覆って指に貼付することにより深爪に起因する痛みや爪の変形を予防する。
【００１９】
基材は、伸縮性に乏しく通気性のよいシート材により形成することが望ましい。さらに、基材には、指への貼付位置を示す指標を設けることが望ましい。
【００２０】
一対の側爪部保護フラップ及び一対の前爪部保護フラップの各先端部は、それぞれ一連に連続する略円弧状に突出する突出部として形成することが望ましい。
【００２１】
そして、一対の側爪部保護フラップ及び一対の前爪部保護フラップには、指への貼付の順序を示す記号を設けることが望ましい。
【発明の効果】
【００２２】
本発明に係る指先保護部材は、一対の側爪部保護フラップにより、側爪部から爪基部へ指の両側から覆って支持し、一対の前爪部保護フラップにより、指の先端部から爪の前爪部側を覆うことにより、手足の指のむくみを防止し、深爪や陥入爪を生じさせてしまった指の保護を図り、深爪や陥入爪に起因する痛みを緩和することができる。
【００２３】
特に、本発明に係る指先保護部材の一対の側爪部保護フラップは、手足の指の形状に倣って、爪の成長部分である爪母から爪甲に接合した爪床部分に至る側爪部を指の両側から包み込むように支持できるので、爪の成長に伴う変形を予防する。そして、一対の側爪部保護フラップは、爪の爪母から爪床部分に至る側爪部を覆うに足る大きさに形成されることにより、爪の成長に伴う爪の変形を一層確実に抑えることができる。
【００２４】
本発明は、基材を、伸縮性が乏しく通気性に優れたシート材により形成することにより、爪に大きな負荷を与えることなく手足の指に取り付けることができ、深爪に起因する爪の変形を予防しながら爪の保護を図り、さらに深爪に起因する痛みを抑えることもできる。
【００２５】
本発明に係る指先保護部材は、指への貼付位置を示す指標を有することにより、深爪となった指先の保護を図り、爪の変形を抑制する位置に正確に貼付できる。
【００２６】
本発明に係る指先保護部材は、側爪部保護フラップ及び前爪部保護フラップの先端側を一連に連続する略円弧状に突出する突出部とすることにより、指に貼付する際、各フラップが撓り貼付後のしわが生じにく、一旦指に取り付けた後の剥ぎ取りが容易であり、容易に交換できるので、常時汚れのない清潔な指先保護部材により爪を覆い保護することができる。
【００２７】
さらに、本発明に係る指先保護部材は、貼付位置を示す指標、指への貼付の順序を示す記号を参照しながら容易に所定の位置に貼付でき、深爪の保護とともに、爪の変形を確実に防止できる。
【図面の簡単な説明】
【００２８】
【図１】本発明に係る指先保護部材を示す斜視図である。
【図２】本発明に係る指先保護部材を示す平面図である。
【図３】本発明に係る指先保護部材を示す底面図である。
【図４】本発明に係る指先保護部材の正面図である。
【図５】本発明に係る指先保護部材の背面図である。
【図６】本発明に係る指先保護部材の右側面図である。
【図７】指先保護部材の拡大部分断面図である。
【図８】貼付位置を位置決めして指接着部を指に貼付した状態を指の上面側から見た斜視図である。
【図９】指接着部を指に貼付した状態を指の下面側から見た斜視図である。
【図１０】指接着部を指の腹側に貼付して指に配設した状態を示す断面図である。
【図１１】一方の側爪部保護フラップを側爪部から爪を覆う状態を示す斜視図である。
【図１２】他方の側爪部保護フラップを一方の側爪部保護フラップ上に重ね、側爪部から爪を覆う状態を示す斜視図である。
【図１３】一方の前爪部保護フラップを指の先端部から前爪部、さらに爪を覆うように折り返す状態を示す斜視図である。
【図１４】他方の前爪部保護フラップを一方の前爪部保護フラップ上に重ね、指の先端部から前爪部を覆うように折り返して爪を覆った状態を示す斜視図である。
【図１５】本発明に係る指先保護部材の他の実施の形態を示す平面図である。
【図１６】本発明に係る指先保護部材のさらに他の実施の形態を示す斜視図である。
【発明を実施するための形態】
【００２９】
以下、本発明を適用した指先保護部材の実施の形態を、図面を参照して説明する。
【００３０】
図１は本発明を適用した指先保護部材を示す斜視図であり、図２はその平面図であり、図３は底面図であり、図４は正面図であり、図５は背面図であり、図６は右側面図であり、図７は部分断面図である。
【００３１】
本発明は、人の手足の指に貼付され、指の先端側に生える爪の保護を図るために用いられる医療用の指先保護部材に係り、この指先保護部材１は、図７の断面図に示すように、一方の面に粘着剤層２が被着形成されたシート状の基材３と、この基材３の一方の面に被着形成された粘着剤層２を覆って剥離可能に積層された剥離材４とからなる。
【００３２】
本発明に係る医療用の指先保護部材１を構成する基材３は、平面方向の引っ張り力に対する伸び率が低く、貼付される指の形状にならって容易に変形する材料により形成することが望ましい。さらに、基材３は、被覆した皮膚が蒸れない通気性に優れた材料を用いることが望ましい。すなわち、基材３は、伸縮性に乏しく通気性のよいシート材により形成することが望ましい。
【００３３】
そこで、本実施の形態では、基材３は、植物などの繊維を主体とする材料を漉いて形成した１０μｍ〜２００μｍ程度の厚さを有するシート状の紙を用いて形成されている。この種の紙の平面方向の引っ張り力に対する伸び率は１％以下であり、極めて伸び率の低いものである。１０μｍ〜２００μｍ程度の厚さに漉かれた紙には微小な孔が多数形成され、通気性が確保されている。
【００３４】
なお、基材３は、上述したような紙に限られるものではなく、平面方向の引っ張り力に対する伸び率が紙と同等で通気性に優れたものであればよく、合成樹脂製のシートなどを用いることができる。
【００３５】
本実施の形態に用いられる基材３は、上述したようなシート状の紙を所定の形状に打ち抜き若しくは切断して形成される。基材３の一方の面には、図７に示すように、粘着剤層２が形成されている。粘着剤層２は、基材３の一方の面全面に亘って形成されている。粘着剤層２を構成する材料としては、生体の表面に被着して使用可能なものであればよく、医療用として使用可能な天然ゴム系、シリコーン系等の感圧性の粘着剤を用いることができる。なお、粘着剤層２には、必要に応じて、任意の適切な経皮吸収性薬物を含有してもよい。経皮吸収性薬物としては、鎮痛消炎剤、抗生物質、抗菌剤、抗真菌剤などが挙げられる。
【００３６】
基材３の粘着剤層２が被着された一方の面側には、図３、図７に示すように、シート状の剥離材４が積層されている。剥離材４は、図２に示すように、粘着剤層２の全面を覆って積層されている。この剥離材４は、図７に示すように、基体５と基体５の表面に形成された剥離処理層６とを有する。剥離材４を構成する基体５は、５０〜２５０μｍの厚さを有するプラスチックフィルムや紙により形成されている。剥離処理層６は、基体５の表面にシリコーン系樹脂やフッ素系樹脂を被着して形成されている。
【００３７】
剥離材４は、図７に示すように、剥離処理層６を基材３の粘着剤層２上に重ね、基材３の一方の面側に積層される。この剥離材４は、基材３に設けた粘着剤層２の保護を図るとともに、基材３に変形やしわが発生することを防止する機能を有する。
【００３８】
指先保護部材１を構成する基材３には、図１、図２に示すように、指貼付部７と、一対の側爪部保護フラップ８，９と、一対の前爪部保護フラップ１０，１１が設けられている。指貼付部７は、基材３のほぼ中央部に設けられ、指先保護部材１が手足の指先を保護するように指に貼付されるとき、爪が生える側とは反対側の指の腹側に貼付される部分となる。指先保護部材１は、指貼付部７を指の腹側に貼付することにより、指への貼付位置が位置決めされる。
【００３９】
一対の側爪部保護フラップ８，９は、指貼付部７を指の腹側に貼付して基材３を指に配設したとき、指貼付部７の左右側方に向かって延長するように形成されている。より望ましくは、一対の側爪部保護フラップ８，９は、図１、図２に示すように、指貼付部７の側方から指の付け根方向に向かって延長するように形成することが望ましい。このように形成された側爪部保護フラップ８，９は、巻き皺などを生じさせることなく、人の手足の指の形状に倣って側爪部から指の背面に至る領域を均等に覆うことができる。
【００４０】
一対の側爪部保護フラップ８，９は、爪の成長部分である爪母から爪甲に接合した爪床、側爪部を指の両側から包み込むように支持するに足る大きさに形成することが望ましい。
【００４１】
一対の前爪部保護フラップ１０，１１は、指貼付部７を指の腹側に貼付して基材３を指に配設したとき、指の形状に倣って、爪の先端側の前爪部側から指の背面側に延在する爪部を覆って貼付されるように、図１、図２に示すように、指貼付部７の左右側方から指の斜め上方に向かって延長するように形成されている。
【００４２】
ところで、一対の前爪部保護フラップ１０，１１の指貼付部７への連設部側に位置する分岐部１２は、指への貼付位置を示す指標として用いられる。
【００４３】
一対の側爪部保護フラップ８，９及び一対の前爪部保護フラップ１０，１１の先端側に向かって突出する先端部８ａ，９ａ及び１０ａ，１１ａは、図１、図２に示すように、それぞれ一連に連続する略円弧状に突出する突出部として形成されている。一対の側爪部保護フラップ８，９及び一対の前爪部保護フラップ１０，１１は、先端部８ａ，９ａ及び１０ａ，１１ａが略円弧状に突出する突出部として形成されることにより、一旦指に取り付けた指先保護部材１の剥ぎ取りが容易となり、容易に交換できる。
【００４４】
上述したように構成された指先保護部材１を、深爪を保護するように人の手足の指に貼付する手順を説明する。
【００４５】
まず、指先保護部材１を人の手足の指に貼付するには、剥離材４を基材３から剥がし、基材３の中央部に構成された指貼付部７の粘着剤層２を外方に臨ませ、図８、図９、図１０に示すように、粘着剤層２を接着面として指貼付部７を指２１の爪２２が生える側とは反対側の指腹部２３の側に貼付する。
【００４６】
このとき、基材３は、図８、図９、図１０に示すように、一対の前爪部保護フラップ１０，１１の指貼付部７への連設部側に位置する分岐部１２を指２１の先端部にほぼ一致させさせて貼付される。このとき、一対の側爪部保護フラップ８，９は、図８，図９に示すように、爪２２の爪母２４から爪床２５に至る領域の両側側方にそれぞれ突出するように延在される。なお、一対の側爪部保護フラップ８，９の先端部８ａ，９ａは、指貼付部７の左右側方から指２１の付け根側下方に向かって延在する。
【００４７】
そして、基材３が、分岐部１２を爪２２の先端部位にほぼ一致させて指２１に貼付されると、一対の前爪部保護フラップ１０，１１は、図８、図９に示すように、指２１の先端から斜め上方に向かって突出するように延在される。
【００４８】
上述したように、基材３を指２１の腹部２３の側に貼付した後、一方の側爪部保護フラップ８を、図１１に示すように、手足の指の形状に倣って、深爪を生じさせた爪２２の側爪部２６から爪２２の上面側の爪甲２７を覆うように折り返しながら指２１に貼付する。次いで、他方の側爪保護フラップ９を、図１２に示すように、側爪部２６から爪２２の爪甲２７を覆うように折り返しながら指２１に貼付する。
【００４９】
なお、一対の側爪部保護フラップ８，９は、両側の側爪部２６から爪甲２７に至る爪２２の全体を安定して支持するように、標準的な人の指に貼付したとき、図１２に示すように、互いの先端部が重なる程度の長さに形成されることが望ましい。
【００５０】
次に、指２１の先端部から斜め前方に突出した一方の前爪部保護フラップ１０を、図１３に示すように、指２１の先端部から爪２２の前爪部２８、さらに、指２１の背側に延在する爪甲２７を覆うように折り返しながら指２１に貼付する。次いで、他方の前爪部保護フラップ１３を、図１４に示すように、指２１の先端部から爪２２の前爪部２８、さらに爪甲２７側を覆うように折り返しながら指２１に貼付する。
【００５１】
なお、一対の前爪部保護フラップ１０，１１は、爪２２の前爪部２８から爪甲２７上に至る部分を覆うようにするため、標準的な人の指に貼付したとき、図１４に示すように、互いの先端部１０ａ，１１ａが重なる程度の長さに形成することが望ましい。
【００５２】
上述したように本実施の形態に係る指先保護部材１を指２１の先端部側に貼付すると、一対の側爪部保護フラップ８，９により、爪母２４から爪床２５に至る領域を両側の側爪部から支持することができる。その結果、爪２２、特に、爪２２の成長領域の縁にある側爪部２６の変形を防止し、巻き爪や陥入爪の発生を抑えることができる。なお、爪２２の成長基である爪母２４は、図１０に示すように、指２１の骨２１ａに支持されている。
【００５３】
そして、一対の前爪部保護フラップ１０，１１により深爪した指の前爪部２８側を覆うことができるので、深爪や陥入爪を生じさせてしまった指の保護を図り、深爪や陥入爪に起因する痛みを緩和することができる。
【００５４】
本実施の形態に係る指先保護部材１の一対の側爪部保護フラップ８，９は、指貼付部７の側方から指の付け根方向に向かって延長するように形成されているので、人の手足の指２１の形状に倣って貼付されるとき、著しい巻き皺などを生じることなく、爪２２の側爪部２６から爪甲２７に亘る領域を均等に覆って貼付することができる。そして、一対の前爪部保護フラップ１０，１１は、指貼付部７の左右側方から指２１の斜め上方に向かって延長するように形成されることにより、指２１の先端部から爪２２の末端部側の全体を均等に覆って貼付することができる。
【００５５】
上述した実施の形態では、一対の前爪部保護フラップ１０，１１の指貼付部７への連設部側に位置する分岐部１２を、指２１に貼付する際の指標として用いるようにしているが、図１５に示すように、基材３の左右の中心を示す指標１５，１６を印字するようにしてもよい。このような指標１５，１６を設けることにより、指先保護部材１を所望の位置に正確に貼付できる。さらに、一対の側爪部保護フラップ８，９及び一対の前爪部保護フラップ１０，１１には指への貼付順を示す記号１７，１８を印字するようにしてもよい。このように、各保護フラップ８，９及び１０，１１の貼付順が示されることにより、医療の専門家でもなくとも、容易にしかも正確に、爪２２の変形や痛みを防止して指先保護部材１を指２１に貼付することができる。
【００５６】
なお、基材３の粘着剤層２を覆って積層される剥離材４は、基材３の左右の中央部に位置する部分に切り込み１９を設け、基材３を指に貼付する際、基材３の折り曲げ等により容易に剥離するようにしておくことが望ましい。
【００５７】
さらにまた、剥離材４の剥離を容易にするため、例えば、図１６に示すように、剥離材４の一部に基材３から突出する突片４ａを設けるようにしてもよい。このように、突片４ａを設けることにより、剥離材４のみを把持することができ、基材３からの剥離が容易となる。なお、突片４ａは、剥離材４の一部が基材３から突出するようなものであればよく、設ける位置や形状は適宜選択することができる。
【００５８】
本発明は、上述した実施の形態に限定されるものではなく、本発明の要旨を逸脱しない範囲で適宜変更できることは言うまでもない。
【産業上の利用可能性】
【００５９】
本発明は、深爪の痛みの対症療法や陥入爪の予防に用いて有用である。
【符号の説明】
【００６０】
１  指先保護部材、２  粘着剤層、３  基材、４  剥離材、７  指貼付部、８，９  側爪部保護フラップ、１０，１１  前爪部保護フラップ、１２  分岐部、２１  指、２２  爪、２４  爪母、２５  爪床、２６  側爪部、２７  爪甲、２８  前爪部
【要約】
【課題】治療者に痛みや不快感を与えることなく、深爪に起因する巻き爪や陥入爪の痛みを抑制する。
【解決手段】一方の面に粘着剤層２が被着されたシート状の基材３と、粘着剤層２上に積層された剥離材４とを備える。基材３には、中央部に指２１の腹部に貼付される指貼付部７と、爪２２の側爪部２６を覆う一対の側爪部保護フラップ８，９と、指２１の先端側から爪２２の前爪部２８側を覆う一対の前爪部保護フラップ１０，１１とが設けられている。各側爪部保護フラップ８，９は、指貼付部７の左右側方に向かって延長され、側爪部２６から爪母２４、爪床２５に至る領域を覆って貼付される。各前爪部保護フラップ１０，１１は、指貼付部７の左右側方から指２１の斜め上方に向かって延長するように形成され、前爪部２８側から指２１の背側に延在する爪甲２７を覆って貼付される。
【選択図】  図１【図１】
0005695263.tif 000002
【図２】
0005695263.tif 000003
【図３】
0005695263.tif 000004
【図４】
0005695263.tif 000005
【図５】
0005695263.tif 000006
【図６】
0005695263.tif 000007
【図７】
0005695263.tif 000008
【図８】
0005695263.tif 000009
【図９】
0005695263.tif 000010
【図１０】
0005695263.tif 000011
【図１１】
0005695263.tif 000012
【図１２】
0005695263.tif 000013
【図１３】
0005695263.tif 000014
【図１４】
0005695263.tif 000015
【図１５】
0005695263.tif 000016
【図１６】
0005695263.tif 000017